(57)【要約】【課題】電柱の管理に係る作業を円滑に行うことが可能な技術を提供する。【解決手段】コンピュータ１００が、個々の電柱の位置情報である電柱位置情報を、個々の電柱に予め付与される識別情報に対応づけてデータベースに格納し、個々の電柱に予め付与された識別情報を受け付け、識別情報に対応する電柱位置情報をデータベースから検索し、電柱位置情報を要求する端末２００に提供する。【選択図】  図１
2005018250.tif 000002
【特許請求の範囲】
【請求項１】
コンピュータに、
個々の電柱の位置情報である電柱位置情報を、個々の電柱に予め付与される識別情報に対応づけてデータベースに格納するステップと、
前記識別情報を含む要求を、ネットワークを介して受け付けるステップと、
前記識別情報に対応する電柱位置情報を、前記データベースから検索するステップと、
前記電柱位置情報を、この電柱位置情報を要求した端末にネットワークを介して提供するステップと、を実行させる、電柱情報提供プログラム。
【請求項２】
前記コンピュータに、
電柱位置情報を記憶装置から取得するステップと、
記憶装置から取得された電柱位置情報による位置の表現形式を前記端末側での利用に応じた表現形式に変換するステップと、をさらに実行させ、
前記電柱位置情報を前記データベースに格納するステップでは、前記表現形式が変更された電柱位置情報を前記データベースに格納する、請求項１に記載の電柱情報提供プログラム。
【請求項３】
前記データベースには、個々の電柱に関連する電柱情報が、前記識別情報に対応づけて格納されており、
前記コンピュータに、
前記識別情報に対応する電柱情報を、前記電柱情報データベースから検索するステップと、
前記電柱情報を、この電柱情報を要求する端末にネットワークを介して提供するステップと、をさらに実行させる、請求項１また２に記載の電柱情報提供プログラム。
【請求項４】
前記コンピュータに、
個々の電柱に備えられる設備に関する設備情報、及びこの電柱に架設される線路に関する線路情報を、前記電柱情報として取得するステップと、
前記電柱情報を、個々の識別情報に対応づけて前記データベースに格納するステップと、をさらに実行させる、請求項１から３のいずれかに記載の電柱情報提供プログラム。
【請求項５】
個々の電柱の位置情報である電柱位置情報を、個々の電柱に予め付与される識別情報に対応づけてデータベースに格納する手段と、
前記識別情報を含む要求を、ネットワークを介して受け付ける手段と、
前記識別情報に対応する電柱位置情報を、前記データベースから検索する手段と、
前記電柱位置情報を、この電柱情報を要求した端末にネットワークを介して提供する手段と、を備える、電柱情報提供装置。
【請求項６】
電柱位置情報を記憶装置から取得する手段と、
記憶装置から取得された電柱位置情報による位置の表現形式を前記端末側での利用に応じた表現形式に変換する手段とをさらに含み、
前記電柱位置情報を前記データベースに格納する手段は、前記表現形式が変更された電柱位置情報を前記データベースに格納する、請求項５記載の電柱情報提供装置。
【請求項７】
前記データベースには、個々の電柱に関連する電柱情報が、前記識別情報に対応づけて格納されており、
前記識別情報に対応する電柱情報を、前記データベースから検索する手段と、前記電柱情報を、この電柱情報を要求する端末に提供する手段と、をさらに備える、請求項５または６に記載の電柱情報提供装置。
【請求項８】
個々の電柱に備えられる設備に関する設備情報、及びこの電柱に架設される線路に関する線路情報を、前記電柱情報として取得する手段と、
前記電柱情報を、個々の識別情報に対応づけて前記データベースに格納する手段と、をさらに備える、請求項５から７のいずれかに記載の電柱情報提供装置。
【請求項９】
個々の電柱に予め付与された識別情報を含む要求を、電柱情報提供装置にネットワークを介して送信する手段と、
前記識別情報に対応する電柱位置情報を、ネットワークを介して取得する手段と、
前記電柱位置情報を、可搬性を有する記憶媒体に記録する手段と、を備える電柱情報取得端末。
【請求項１０】
前記識別情報で特定される電柱に関連する電柱情報を、ネットワークを介して取得する手段と、
前記電柱情報を、可搬性を有する記憶媒体に記録する手段と、をさらに備える、請求項９に記載の電柱情報取得端末。
【請求項１１】
個々の電柱に予め付与された識別情報を含む要求を、電柱情報提供装置にネットワークを介して送信する手段と、
前記識別情報に対応する電柱位置情報と、この識別情報で特定される電柱に関連する電柱情報とをネットワークを介して取得する手段と、
電子地図上に前記電柱位置情報に基づく電柱の位置と前記電柱情報とを表示する表示制御手段と、を備える電柱情報取得端末。
【請求項１２】
個々の電柱に予め付与された識別情報を含む要求を、電柱情報提供装置にネットワークを介して送信する手段と、
前記識別情報に対応する電柱位置情報を、ネットワークを介して取得する手段と、
現在の位置情報と前記電柱位置情報とを用いてこの電柱位置情報で特定される電柱に到達するまでの経路を検索する経路検索手段と、を備える電柱情報取得端末。
【請求項１３】
前記識別情報で特定される電柱に関連する電柱情報を、ネットワークを介して取得する手段と、
電子地図上に前記電柱位置情報に基づく電柱の位置と前記電柱情報とを表示する表示制御手段と、をさらに備える、請求項１２に記載の電柱情報取得端末。
【請求項１４】
前記電柱位置情報、及び／または電柱情報を、可搬性を有する記憶媒体に記録する手段をさらに備える、請求項１２または１３に記載の電柱情報取得端末。
【請求項１５】
コンピュータに、
個々の電柱に予め付与された識別情報を含む要求を、電柱情報提供装置にネットワークを介して送信するステップと、
前記識別情報に対応する電柱位置情報を、ネットワークを介して取得するステップと、
前記電柱位置情報を、可搬性を有する記憶媒体に記録するステップと、を実行させる電柱情報取得プログラム。
【請求項１６】
前記コンピュータに、
前記識別情報で特定される電柱に関連する電柱情報を、ネットワークを介して取得するステップと、
前記電柱情報を、可搬性を有する記憶媒体に記録するステップと、をさらに実行させる、請求項１５に記載の電柱情報取得プログラム。
【請求項１７】
コンピュータに、
個々の電柱に予め付与された識別情報を含む要求を、電柱情報提供装置にネットワークを介して送信するステップと、
前記識別情報に対応する電柱位置情報と、この識別情報で特定される電柱に関連する電柱情報とをネットワークを介して取得するステップと、
電子地図上に前記電柱位置情報に基づく電柱の位置と前記電柱情報とを表示するステップと、を実行させる電柱情報取得プログラム。
【請求項１８】
コンピュータに、
個々の電柱に予め付与された識別情報を含む要求を、電柱情報提供装置にネットワークを介して送信するステップと、
前記識別情報に対応する電柱位置情報を、ネットワークを介して取得するステップと、
現在の位置情報と前記電柱位置情報とを用いてこの電柱位置情報で特定される電柱に到達するまでの経路を検索するステップと、を備える電柱情報取得プログラム。
【請求項１９】
前記コンピュータに、
前記識別情報で特定される電柱に関連する電柱情報を、ネットワークを介して取得するステップと、
電子地図上に前記電柱位置情報に基づく電柱の位置と前記電柱情報とを表示するステップと、をさらに実行させる、請求項１８に記載の電柱情報取得プログラム。
【請求項２０】
前記コンピュータに、
前記電柱位置情報、及び／または電柱情報を、可搬性を有する記憶媒体に記録するステップをさらに実行させる、請求項１８または１９に記載の電柱情報取得プログラム。
【請求項２１】
コンピュータが、
個々の電柱の位置情報である電柱位置情報を、個々の電柱に予め付与される識別情報に対応づけてデータベースに格納するステップと、
前記識別情報を含む要求を、ネットワークを介して受け付けるステップと、
前記識別情報に対応する電柱位置情報を、前記データベースから検索するステップと、
前記電柱位置情報を、この電柱位置情報を要求した端末にネットワークを介して提供するステップと、を実行する、電柱情報提供方法。
【請求項２２】
前記コンピュータが、
電柱位置情報を記憶装置から取得するステップと、
記憶装置から取得された電柱位置情報による位置の表現形式を前記端末側での利用に応じた表現形式に変換するステップと、をさらに実行し、
前記電柱位置情報を前記データベースに格納するステップでは、前記表現形式が変更された電柱位置情報を前記データベースに格納する、請求項２１に記載の電柱情報提供方法。
【請求項２３】
前記データベースには、個々の電柱に関連する電柱情報が、前記識別情報に対応づけて格納されており、
前記コンピュータが、
前記識別情報に対応する電柱情報を、前記電柱情報データベースから検索するステップと、
前記電柱情報を、この電柱情報を要求する端末にネットワークを介して提供するステップと、をさらに実行する、請求項２１また２２に記載の電柱情報提供方法。
【請求項２４】
前記コンピュータが、
個々の電柱に備えられる設備に関する設備情報、及びこの電柱に架設される線路に関する線路情報を、前記電柱情報として取得するステップと、
前記電柱情報を、個々の識別情報に対応づけて前記データベースに格納するステップと、をさらに実行する、請求項２１から２３のいずれかに記載の電柱情報提供方法。
【発明の詳細な説明】
【０００１】
【発明の属する技術分野】
本発明は電柱に関連する情報を提供する技術に関する。
【０００２】
【従来の技術】
一般に、電力を供給する事業者（以下、電力事業者と称する）では、顧客に電力を供給するために、配電線を架設した電柱を設置している。通常、電柱には、配電線の他に、開閉器や変圧器などの電力事業者が設置した各種機器が設置されている。そして、電力事業者では、配電線及び各種機器を含めて、設置した電柱の管理を行っている。
【０００３】
電柱の管理の一例として、電力事業者は、配電線及び各種機器の点検或いは工事などを行う。また、電力事業者は、特定の顧客側で電気工事などを行うために、この顧客への電力供給を一時的に停止することがある。さらに、電力事業者は、様々な状況に応じて、電柱の設置を行う。電柱の設置を行う場合としては、例えば、老朽化した電柱の建て替え、電柱の移設、及び電力の需給状況に応じて新たな電柱の設置などが挙げられる。
【０００４】
そして、このような設置した電柱に関連する様々な作業を行うために、電力事業者は、電柱の位置情報や設置日の情報、或いは配電線及び各種機器の情報などの、個々の電柱に関連する各種情報が必要であった。また、電柱には、通信事業者の電話線、或いは有線放送事業者の放送用有線などの、配電線以外の様々な線路が、いわゆる共架線路として架設されている。このような電柱に関連する作業を行うには、電力事業者は、共架線路に対する設備改修や事故を防止するために、これらの共架線路を架設した事業者に対して連絡を取る必要があった。このため、電力事業者は、共架線路に関する情報も必要であった。
【０００５】
ところで、従来、電力事業者では、電柱に関連する各種情報のうち、作業を行う電柱の位置情報を利用して電柱に関連する作業の支援に活用していた。
【０００６】
この電柱の位置情報を利用する一例として、以下のような方法が挙げられる。電力事業者では、特定の電柱の位置情報を予め記憶媒体に格納する。そして、この記憶媒体を一般のカーナビゲーション装置などの情報処理端末によって読み込む。情報処理端末では、読み込んだ電柱の位置情報と地図情報とを対応させて、画面などに閲覧可能な状態で出力する。このように電柱の位置情報と地図情報とを対応させることで、電柱に関連する作業を行う作業員は、作業を行う電柱の位置を把握していた。
【０００７】
なお、電柱の位置情報を利用する技術の一例として、例えば、電柱情報を識別子に目的地を案内する技術（例えば、特許文献１参照。）、及び電柱に付される番号に基づいて現在位置情報を取得する技術（例えば、特許文献２参照。）などがある。
【０００８】
【特許文献１】
特開平２−２６６４９９号公報
【特許文献２】
特開２００２−２９７６１３号公報
【０００９】
【発明が解決しようとする課題】
ところで、記憶媒体から特定の電柱の位置情報を読み込み、情報処理端末によって電柱の位置情報と地図情報とを対応させる方法では、例えば、以下の問題があった。
【００１０】
従来の方法では、例えば、一度に格納可能な電柱の位置情報の量が、記憶媒体の容量及び情報処理端末の読み込み容量に左右されていた。このため、一日に多数の電柱を巡回して作業を行う場合には、作業員は、多数の記憶媒体に電柱の位置情報を格納して持ち運んでいた。従って、電力事業者の作業員は、必要となる電柱の位置情報を検索するために、その位置情報を格納する記憶媒体を交換しなければならなかった。
【００１１】
また、設置した電柱に関連する様々な作業を行うために、電力事業者は、個々の電柱に関連する各種情報、及び共架線路に関連する情報といった、電柱に関連する様々な情報が必要であった。しかしながら、これらの電柱に関連する様々な情報は、電柱の位置情報に対応させて、電子地図装置やカーナビゲーション装置の地図情報上で利用されていなかった。例えば、従来では、作業する電柱に電話線などが架かっていた場合、作業員は、その電話線を架けた通信事業者に電話で問い合わせていた。そして、作業員は、作業を行ってもその電話線に対して問題がないことを確認した後に、当該作業を行っていた。このため、電柱に対する作業を行う際には、その電柱に関連する情報を容易に利用可能とすることが求められていた。
【００１２】
本発明は、上記した事項に鑑みて為されたものであり、その目的の一つは、端末からの要求に応じた電柱に係る情報を提供することができる技術を提供することである。
また、本発明の目的の一つは、電柱の管理に係る作業を円滑に行うことが可能な技術を提供することである。
【００１３】
【課題を解決するための手段】
前記した課題を解決するために、本発明は以下の手段とした。
【００１４】
すなわち、本発明は、個々の電柱の位置情報である電柱位置情報を、個々の電柱に予め付与される識別情報に対応づけてデータベースに格納し、前記識別情報を含む要求を、ネットワークを介して受け付け、前記識別情報に対応する電柱位置情報を、前記データベースから検索し、前記電柱位置情報を、この電柱位置情報を要求した端末にネットワークを介して提供するようにした。
【００１５】
本発明では、個々の電柱に関連する情報である電柱位置情報を、この電柱に付与される番号などの識別情報に基づいて検索し、この電柱情報を利用する端末からの要求に応じて端末に提供する。従って、本発明によれば、電柱情報を、端末からの要求に応じた電柱情報を提供することができる。
【００１６】
また、本発明は、電柱位置情報を記憶装置から取得し、記憶装置から取得された電柱位置情報による位置の表現形式を前記端末側での利用に応じた表現形式に変換し、前記表現形式が変更された電柱位置情報を前記データベースに格納するようにしてもよい。
【００１７】
本発明によれば、電柱位置情報を記憶装置から取得して、データベースに格納される電柱位置情報の表現形式を、端末での利用に応じたものに変換する。このため、本発明によれば、電柱位置情報を様々な端末において利用することができる。
【００１８】
また、本発明は、データベースには、個々の電柱に関連する電柱情報が、前記識別情報に対応づけて格納されており、前記識別情報に対応する電柱情報を、前記電柱情報データベースから検索し、前記電柱情報を、この電柱情報を要求する端末にネットワークを介して提供するようであってもよい。
【００１９】
本発明では、電柱の位置情報以外の情報である電柱情報を、利用者側の端末に提供することで、利用者の要求に応じた特定の電柱に関する電柱情報を提供することができる。
【００２０】
また、本発明は、個々の電柱に備えられる設備に関する設備情報、及びこの電柱に架設される線路に関する線路情報を、前記電柱情報として取得し、前記電柱情報を、個々の識別情報に対応づけて前記データベースに格納するようであってもよい。
【００２１】
本発明では、電柱の設備情報、及び線路情報を電柱情報として取得し、この電柱情報を端末に提供する。従って、本発明によれば、電柱の位置情報とその電柱に関連する設備情報及び線路情報とを含めた電柱情報を、端末からの要求に応じて提供することができる。
【００２２】
本発明の電柱情報取得端末は、個々の電柱に予め付与された識別情報を含む要求を、電柱情報提供装置にネットワークを介して送信し、前記識別情報に対応する電柱位置情報を、ネットワークを介して取得し、前記電柱位置情報を、可搬性を有する記憶媒体に記録するようにした。
【００２３】
本発明では、利用者が要求する電柱位置情報を取得して、可搬性の記憶媒体に記録する。従って、本発明によれば、必要な電柱位置情報のみを取得することができる。
【００２４】
また、本発明は、前記識別情報で特定される電柱に関連する電柱情報を、ネットワークを介して取得し、前記電柱情報を、可搬性を有する記憶媒体に記録してもよい。
【００２５】
また、本発明は、個々の電柱に予め付与された識別情報を含む要求を、電柱情報提供装置にネットワークを介して送信し、前記識別情報に対応する電柱位置情報と、この識別情報で特定される電柱に関連する電柱情報とをネットワークを介して取得し、電子地図上に前記電柱位置情報に基づく電柱の位置と前記電柱情報とを表示してもよい。
【００２６】
本発明では、利用者が要求する電柱位置情報を取得して、この電柱位置情報を電子地図情報に対応づけて電柱位置と電柱情報を表示する。従って、本発明によれば、電柱に係る作業を円滑に行うことができる。
【００２７】
また、本発明は、個々の電柱に予め付与された識別情報を含む要求を、電柱情報提供装置にネットワークを介して送信し、前記識別情報に対応する電柱位置情報を、ネットワークを介して取得し、現在の位置情報と前記電柱位置情報とを用いてこの電柱位置情報で特定される電柱に到達するまでの経路を検索してもよい。
【００２８】
本発明では、現在の位置情報と前記電柱位置情報によって、その電柱までの経路を検索する。従って、本発明によれば、特定の電柱に到達するまでの経路によって、電柱に係る作業を円滑に行うことができる。
【００２９】
また、本発明は、前記識別情報で特定される電柱に関連する電柱情報を、ネットワークを介して取得し、電子地図上に前記電柱位置情報に基づく電柱の位置と前記電柱情報とを表示してもよい。
【００３０】
本発明では、電柱の位置と電柱情報を表示することで、電柱に係る作業を円滑に行うことができる。
【００３１】
なお、本発明は、以上の何れかの機能を実現させるプログラムであってもよい。また、本発明は、そのようなプログラムをコンピュータが読み取り可能な記憶媒体に記録してもよい。
【００３２】
【発明の実施の形態】
以下、本発明の好適な一実施の形態を、図面を参照して説明する。
【００３３】
〈システムの構成〉
図１は、本発明の実施形態に係る、電柱情報提供システムの各構成要素に係る、機能ブロックの一例を示す図である。図１には、本発明の電柱情報提供プログラムを実行させる情報処理装置の一例として、電柱情報提供装置１００が示されている。
【００３４】
図１に示す電柱情報提供システムでは、電柱情報提供装置１００、電柱情報取得端末２００、及びＷｅｂサーバ３００がインターネットなどのネットワークに、無線または有線によるアクセス網を介して接続している。なお、無線の接続の一例としては、携帯電話回線網、或いは無線ＬＡＮなどによる接続が挙げられる。また、有線の接続の一例としては、公衆電話回線網、或いは光ファイバネットワークなどによる接続が挙げられる。
【００３５】
また、図１において、電柱情報取得端末２００は、ネットワークを介してＷｅｂサーバの電柱情報データベース３００と一対一で接続しているが、本電柱情報提供システムではこれに限定されない。すなわち、この電柱情報取得端末２００は、必要に応じた複数の電柱情報取得端末２００がネットワークを介してＷｅｂサーバの電柱情報データベース３００と接続して、電柱情報提供装置１００との情報の送受信を実現している。
【００３６】
〈電柱情報提供装置の構成〉
次に、本システムの電柱情報提供装置１００の構成要素について説明する。本システムにおいて、電柱情報提供装置１００は、個々の電柱に予め付与される識別情報に対応づけて電柱位置情報、及び電柱情報を格納する電柱情報データベース３００を備える。そして、本システムでは、電柱情報提供装置１００は、この電柱位置情報、及び電柱情報に関する以下の処理を行う。まず、電柱情報提供装置１００は、この電柱位置情報、及び電柱情報を、個々の識別情報に対応づけて電柱情報データベース３００に格納する。電柱情報提供装置１００は、識別情報を受け付けて、識別情報に対応する電柱位置情報、及び電柱情報を、電柱情報データベースから検索する。そして、電柱情報提供装置１００は、検索した電柱位置情報、及び電柱情報を電柱情報取得端末２００に対してネットワークを介して提供する。電柱情報提供装置１００は、上記の電柱情報提供処理を行うために、図１に示す、データ処理手段１０１，記憶手段１０２，操作手段１０３，表示手段１０４の各機能を備える。
【００３７】
電柱情報提供装置１００は、上記の電柱情報提供処理を行う機能を実現するために、パーソナルコンピュータ（ＰＣ），ワークステーション（ＷＳ），専用のサーバマシン等のコンピュータを用いて構成される。電柱情報提供装置１００は、図示しないハードウェアとして、処理装置（ＣＰＵ，主記憶装置（ＲＡＭ等），入出力ユニット，デバイスドライバ等で構成される），二次記憶装置（ハードディスク等），入力装置（キーボード，マウス等），出力装置（ディスプレイ装置等）を備えている。そして、電柱情報提供装置１００は、ＣＰＵが二次記憶装置に格納されているプログラムを主記憶にロードして実行することにより、上記のような処理を実現する。
【００３８】
また、電柱情報提供装置１００は、個々の電柱の位置情報を格納するマッピングデータベース１０５ａ、個々の電柱に備えられる設備に関する設備情報を格納する架空設備データベース１０５ｂ、及び個々の電柱に共架される線路に関する線路情報（有線放送や電話線などの配電線以外の共架線路情報）を格納する共架設備データベース１０５ｃと、情報の送受信が可能な状態で接続している。なお、共架設備データベース１０５ｃに格納される共架線路情報には、その線路を管理する事業者名などの事業者に関する情報である、共架事業者情報を含む。
【００３９】
また、電柱情報提供装置１００は、ネットワークを介して電柱情報取得端末２００に電柱位置情報、及び電柱に関連する電柱情報を提供するために、Ｗｅｂサーバの電柱情報データベース３００を備える。このＷｅｂサーバの電柱情報データベース３００には、電柱情報取得端末２００に提供する電柱位置情報、及び電柱情報が格納される。
【００４０】
〈電柱情報取得端末の構成〉
次に、本システムの電柱情報取得端末２００の構成要素について説明する。本システムにおいて、電柱情報取得端末２００は、電柱位置情報、及び／または電柱情報の提供を希望する電柱に関する識別情報を含む要求を電柱情報提供装置１００に送信する。そして、電柱情報取得端末２００は、電柱情報提供装置１００から提供された電柱位置情報、及び／または電柱情報を、ネットワークを介してＷｅｂサーバ３００から取得する。そして、電柱情報取得端末２００は、電柱位置情報を、電子地図情報に対応づけ、電柱位置情報を対応づけた電子地図情報を用いて、個々の電柱への経路を検索する。さらに、電柱情報取得端末２００は、検索した経路を表示する。電柱情報取得端末２００は、上記の電柱情報取得処理を行うために、図１に示す、データ処理手段２０１，記憶手段２０２，操作手段２０３，表示手段２０４の各機能を備える。
【００４１】
電柱情報取得端末２００は、上記の電柱情報取得処理を行うために、パーソナルコンピュータ（ＰＣ），携帯電話機，携帯情報端末（ＰＤＡ），カーナビゲーション装置等の、記憶媒体記録装置４００で記録された記憶媒体を読み込み可能なコンピュータを用いて構成される。電柱情報取得端末２００は、図示しないハードウェアとして、処理装置（ＣＰＵ，主記憶装置（ＲＡＭ等），入出力ユニット，デバイスドライバ等で構成される），二次記憶装置（ハードディスク等），入力装置（キーボード，マウス等），出力装置（ディスプレイ装置等）を備えている。そして、電柱情報取得端末２００は、ＣＰＵが二次記憶装置に格納されているプログラムを主記憶にロードして実行することにより、上記のような処理を実現する。
また、電柱情報取得端末２００は、上記の構成により、記憶媒体記録装置４００，電子地図装置５００，カーナビゲーション装置６００の機能を実現する。
【００４２】
また、電柱情報取得端末２００は、不図示のハードウェアとして、通信制御装置（ネットワークインターフェイス装置等）を備える。この通信制御装置により、電柱情報取得端末２００は、Ｗｅｂサーバの電柱情報データベース３００と接続することができる。従って、電柱情報取得端末２００は、このＷｅｂサーバの電柱情報データベース３００に格納された電柱位置情報、及び電柱情報を、ネットワークを介して取得することができる。
【００４３】
記憶媒体記録装置４００は、上記のコンピュータにおける二次記憶装置の一例であり、例えば、フレキシブルディスクに代表される磁気記憶媒体、コンパクトディスクに代表される光記憶媒体、フラッシュメモリに代表される何度でも電気的に記憶の消去・書き込みができる不揮発性ＲＯＭなどの、可搬性の各種記憶媒体に対して電柱位置情報、及び電柱情報を記録する装置である。なお、記憶媒体記録装置４００は、情報の書き込み以外に情報の読み込み機能を有してもよい。
【００４４】
電子地図装置５００は、上記のコンピュータのハードウェア構成によって、コンピュータの画面上で電子地図の情報を閲覧、及び電子地図上に電柱位置等の情報を描画する機能を実現したものである。
【００４５】
カーナビゲーション装置６００は、上記のコンピュータのハードウェア構成に加え、ＧＰＳ（Ｇｌｏｂａｌ  Ｐｏｓｉｔｉｏｎｉｎｇ  Ｓｙｓｔｅｍ）などの現在位置情報を取得する手段を有する。そして、カーナビゲーション装置６００は、取得した現在位置情報と目的地との情報に基づいてこの間の所望の経路検索を行う機能を実現したものである。また、カーナビゲーション装置６００は、検索した経路に基づく電子地図を用いた案内表示を画面上に表示する機能を持つことができる。
【００４６】
なお、本システムの電柱情報取得端末２００では、必須となる機能は、データ処理手段２０１，記憶手段２０２，操作手段２０３，表示手段２０４である。図１に示す、記憶媒体記録装置４００，電子地図装置５００，カーナビゲーション装置６００は、電柱情報取得端末２００の必須の機能ではなく、少なくともいずれか一つを有するものである。例えば、可搬性の記憶媒体に電柱位置情報、及び電柱情報を記憶するコンピュータ（例えば、パーソナルコンピュータや携帯型電話機が適用される）である場合には、電柱情報取得端末２００は、記憶媒体記録装置４００の機能を有する。また、例えば、電子地図の情報を閲覧可能なコンピュータ（例えば、パーソナルコンピュータのような汎用のコンピュータが適用される）である場合には、電柱情報取得端末２００は、電子地図装置５００の機能を有する。また、例えば、カーナビゲーション装置が電柱情報取得端末２００として適用され、経路の検索機能及び経路の表示機能を実現する場合、電柱情報取得端末２００は、カーナビゲーション装置６００の機能を有する。そして、電柱情報取得端末２００は、これらの機能のいずれかを組み合わせてもよい。
【００４７】
そして、本システムでは、上記の可搬性の記憶媒体、電柱位置情報、及び電柱情報を要求する端末の機能に応じたデータ形式によって、これらの機能に対して要求する電柱位置情報、及び電柱情報を提供することができる。
【００４８】
〈電柱位置情報、及び電柱情報を作成する処理のフローチャート〉
次に、電柱情報提供装置１００が個々の電柱に関する電柱位置情報、及び電柱情報を作成する処理について、フローチャートを用いて説明する。
【００４９】
図２は、個々の電柱に関する電柱位置情報、及び電柱情報について、電柱情報提供装置１００が各日毎に一括して電柱位置情報、及び電柱情報を更新して作成する、日次バッチ処理のフローチャートである。
【００５０】
電柱情報提供装置１００が接続する、マッピングデータベース１０５ａ、架空設備データベース１０５ｂ、及び共架設備データベース１０５ｃは、管理する電柱に関する電柱位置情報、及び電柱情報のうち、更新された電柱位置情報、及び電柱情報を各日毎に蓄積する。この蓄積する電柱位置情報、及び電柱情報は、例えば、電柱の新設，移設，撤去、或いは機器及び線路の変更などにより、マッピングデータベース１０５ａに格納される位置情報、架空設備データベース１０５ｂに格納される設備情報、及び共架設備データベース１０５ｃの共架設備情報が、変更されたものを指す。そして、電柱情報提供装置１００は、各日の所定時刻に到達すると、これらの更新された電柱位置情報、及び電柱情報について、上記の日次バッチ処理を開始する（図２におけるステップ１０１、以下Ｓ１０１のように省略する）。
【００５１】
マッピングデータベース１０５ａ、架空設備データベース１０５ｂ、及び共架設備データベース１０５ｃは、少なくとも一つのサーバ装置（不図示）により管理される。電柱情報提供装置１００は、このサーバ装置とネットワークを介して接続されており、マッピングデータベース１０５ａ、架空設備データベース１０５ｂ、及び共架設備データベース１０５ｃで管理されている電柱に関する電柱位置情報、電柱情報、及び共架設備情報を、サーバ装置を介してダウンロードすることが可能となっている。
【００５２】
なお、マッピングデータベース１０５ａ、架空設備データベース１０５ｂ、及び共架設備データベース１０５ｃを構成する１以上の記憶装置が、本発明の「記憶装置」に該当する。電柱情報提供装置１００を構成するコンピュータが備える記憶装置上にマッピングデータベース１０５ａ、架空設備データベース１０５ｂ、及び共架設備データベース１０５ｃが作成される場合には、この記憶装置も本発明の「記憶装置」に含まれる。
【００５３】
日次バッチ処理を開始すると、電柱情報提供装置１００は、マッピングデータベース１０５ａ，架空設備データベース１０５ｂ，共架設備データベース１０５ｃに格納される、電柱の位置情報（電柱の座標位置情報），設備情報（機器の製造業者、製造年に関する情報），共架設備情報（電柱を利用する共架線路を管理する共架事業者情報を含む）を読み込む。そして、電柱情報提供装置１００は、これらの各データベースに格納される電柱位置情報、及び電柱情報を、個々の電柱に予め付与される電柱番号などの識別情報に基づいて対応づけて単一の電柱情報データベースに結合する、データベース結合処理を行う（Ｓ１０２）。
【００５４】
電柱情報提供装置１００は、結合された電柱情報データベースをＷｅｂサーバの電柱情報データベース３００に格納するデータ形式に変換する処理を行う（Ｓ１０３）。また、このとき、電柱位置情報を、地図情報に対応させるために、座標位置情報から緯度経度情報に変換する。なお、このとき変換するデータ形式として、例えば、主に表計算ソフトやデータベースソフトにおいてデータを保存するときに用いられる汎用性が高いデータ形式である、ＣＳＶ（Ｃｏｍｍａ  Ｓｅｐａｒａｔｅｄ  Ｖａｌｕｅｓ）が挙げられる。
【００５５】
電柱情報提供装置１００は、データ形式を変換した電柱位置情報、及び電柱情報を、Ｗｅｂサーバの電柱情報データベース３００に格納する（Ｓ１０４）。
【００５６】
図３には、Ｗｅｂサーバ３００に格納される電柱情報データベースのデータテーブル１０の一例を示す。このデータテーブル１０には、個々の電柱に予め付与される識別情報として電柱番号１０ａが格納される。また、データテーブル１０には、電柱の緯度１０ｂ，経度１０ｃが格納される。また、データテーブル１０には、設備情報として架設される機器の製造業者名１０ｄ，製造年１０ｅが格納される。さらに、データテーブル１０には、電柱を利用して線路を架設している共架線路を管理する共架事業者情報１０ｆが格納される。
【００５７】
このように、上記の日次バッチ処理によれば、個々の電柱に関する電柱位置情報、及び電柱情報を各日毎に更新して、この電柱位置情報、及び電柱情報を利用する端末に提供することができる。
【００５８】
〈電柱情報取得処理のフローチャート〉
次に、本システムにおいて、電柱情報取得端末２００が、Ｗｅｂサーバの電柱情報データベース３００から希望の電柱位置情報、及び電柱情報を取得する処理について、フローチャートを用いて説明する。
【００５９】
図４は、本システムによる、電柱情報取得処理のフローチャートである。電柱情報取得処理を開始すると、電柱情報取得端末２００は、この電柱情報取得画面から、電柱番号及びデータ形式を入力するように利用者に対して要求する（図４におけるステップ２０１、以下Ｓ２０１のように省略する）。利用者に電柱番号及びデータ形式の入力を要求するために、電柱情報取得端末２００は、図５に示す電柱情報取得画面を出力画面（不図示）上に表示する。電柱番号は、本システムの利用者が要求する電柱位置情報、及び電柱情報の検索条件の一例である。また、データ形式は、利用者が要求する電柱位置情報、及び電柱情報を取得後、利用する端末に応じたデータ形式に変換するために、本電柱情報取得端末２００が要求する。
【００６０】
図５は、電柱情報取得画面２０の一例である。電柱情報取得画面２０には、標識選択リストボックス２０ａ，電柱番号入力部２０ｂ，データ形式選択部２０ｃ，支社変更ボタン２０ｄ，メモリ初期化ボタン２０ｅ，ダウンロードボタン２０ｆが設けられている。
【００６１】
標識選択リストボックス２０ａには、個々の電柱に予め付与される電柱番号のうち、電柱の所在地の地域名などに基づいて定められた標識名の部分が選択可能な状態で表示される。そして、利用者は、この標識選択リストボックス２０ａから希望の電柱位置情報、及び電柱情報に対応する標識名を選択する。なお、この標識選択リストボックス２０ａで特定の標識名ではなく、電柱を管理する支社名を選択すると、選択された支社で管理する全ての電柱に関する電柱位置情報、及び電柱情報を検索することができる。
【００６２】
電柱番号入力部２０ｂには、特定の電柱位置情報、及び電柱情報を必要とする場合に、その電柱の電柱番号を入力する。この電柱番号入力部２０ｂに電柱番号を入力しない場合には、標識選択リストボックス２０ａで選択した標識名または支社名に該当する全ての電柱位置情報、及び電柱情報を検索することができる。
【００６３】
データ形式選択部２０ｃには、記憶媒体用，電子地図用，カーナビゲーション装置用に対応したデータ形式から、ダウンロード時のデータ形式を一つ選択するために、いわゆるラジオボタンが設けられている。
【００６４】
支社変更ボタン２０ｄは、電柱を管理する支社名を変更する際に使用するボタンである。この支社変更ボタン２０ｄを操作すると、電柱位置情報、及び電柱情報を検索する対象の支社を変更することができる。
【００６５】
メモリ初期化ボタン２０ｅは、電柱位置情報、及び電柱情報を取得する際に、この電柱位置情報、及び電柱情報を格納する記憶媒体または端末の記憶領域を初期化するための操作ボタンである。
【００６６】
ダウンロードボタン２０ｆは、利用者が要求する電柱位置情報、及び電柱情報を取得する際に操作するボタンである。利用者が要求する電柱位置情報、及び電柱情報の検索条件は、標識選択リストボックス２０ａ，電柱番号入力部２０ｂ，データ形式選択部２０ｃの各項目を決定することで決定する。このため、本システムでは、このダウンロードボタン２０ｆを操作すると、取得した電柱位置情報、及び電柱情報を、この電柱位置情報、及び電柱情報を利用する端末に応じたデータ形式で利用することができる。
【００６７】
電柱情報取得端末２００は、電柱情報取得画面２０によって取得した標識名、及び電柱番号に基づいて、Ｗｅｂサーバの電柱情報データベース３００に格納される、該当する電柱位置情報、及び電柱情報のダウンロード（提供）を電柱情報提供装置１００に要求する（Ｓ２０２）。要求した電柱位置情報、及び電柱情報をＷｅｂサーバの電柱情報データベース３００から取得した電柱情報取得端末２００は、この電柱位置情報、及び電柱情報をＲＡＭまたは記憶装置に保存する。
【００６８】
電柱情報取得端末２００は、保存した電柱位置情報、及び電柱情報を取り込む。そして、電柱情報取得端末２００は、この電柱位置情報、及び電柱情報について、Ｓ２０１で取得したデータ形式に応じたデータ変換を行う（Ｓ２０３）。このデータ変換で行う処理は、例えば、取得した電柱位置情報、及び電柱情報のデータのフォーマットを、電子地図装置またはカーナビゲーション装置のアプリケーションプログラムに対応したフォーマットを行う、或いは電柱位置情報、及び電柱情報のデータを、格納する記憶媒体に対応したフォーマットを行うことなどが挙げられる。
【００６９】
データ変換を行った後、電柱情報取得端末２００は、取得したデータ形式に応じて、電柱位置情報、及び電柱情報を利用する機能に対応したデータ形式処理を判断する（Ｓ２０４）。Ｓ２０４において、記憶媒体用データ形式であると判断した場合には、電柱情報取得端末２００は、図１に示した記憶媒体記録装置４００を介して可搬性の記憶媒体に電柱位置情報、及び電柱情報を格納する（Ｓ２０５）。また、Ｓ２０４において、電子地図用データ形式であると判断した場合には、電子地図装置５００の機能を有する電柱情報取得端末２００は、電子地図装置のアプリケーションプログラムを起動して（Ｓ２０６）、電柱位置情報、及び電柱情報を対応させた電子地図データの描画を行う（Ｓ２０７）。さらに、Ｓ２０４において、カーナビゲーション装置用のデータ形式であると判断した場合には、カーナビゲーション装置６００の機能を有する電柱情報取得端末２００は、カーナビゲーション装置６００の経路検索機能を起動して、この経路検索機能を実行する電子地図と取得した電柱位置情報、及び電柱情報とを対応させる（Ｓ２０８）。なお、本システムの電柱情報取得処理のフローチャートは、記憶媒体記録装置４００，電子地図装置５００，カーナビゲーション装置６００の３つの機能を全て含む電柱情報取得端末２００によって実行した場合を示したが、電柱情報取得端末２００が実行する機能は、これらの機能のうち、少なくともいずれか一つでよい。
【００７０】
図６は、本システムによる電柱情報取得処理によって取得した電柱位置情報、及び電柱情報を、カーナビゲーション装置６００の表示画面上の電子地図に対応させた表示画面３０の一例である。また、図７は、本システムによる電柱情報取得処理によって取得した電柱位置情報、及び電柱情報を、電子地図装置５００の表示画面上の電子地図に対応させた表示画面４０の一例である。この表示画面３０，４０には、取得した電柱位置情報、及び電柱情報によって、この電柱の位置情報を示す電柱マーク３０ａ，４０ａが表示される。
【００７１】
また、表示画面３０，４０には、取得した電柱位置情報、及び電柱情報が電柱情報表示部３０ｂ，４０ｂに表示される。この電柱情報表示部３０ｂ，４０ｂには、電柱番号、機器の製造業者名，製造年の情報（設備情報）、電柱を利用して線路を架設している共架線路を管理する共架事業者情報（共架設備情報）が表示される。
【００７２】
このように、本システムによる電柱情報取得処理によれば、この電柱位置情報、及び電柱情報を利用する利用者の要求に応じた、特定の電柱位置情報、及び電柱情報を提供することができる。
【００７３】
〈変形例〉
なお、本発明の電柱情報提供プログラムは、本実施の形態にのみ限定されるものではなく、本発明の要旨を逸脱しない範囲内において種々変更を加え得ることは勿論である。
【００７４】
例えば、本実施の形態に係る電柱情報提供システムでは、電柱位置情報、及び電柱情報を処理してＷｅｂサーバに格納する電柱情報提供装置と、Ｗｅｂサーバを介して電柱位置情報、及び電柱情報を取得して記憶媒体または端末に応じてデータ形式を変換する電柱情報取得端末とを備えていたが、それぞれの機能を備えた装置によって、記憶媒体または端末に対して電柱位置情報、及び電柱情報を提供するようにしてもよい。
【００７５】
また、例えば、本システムにおいて、電柱情報提供装置と電柱情報取得端末とは、Ｗｅｂサーバを介してネットワークによって接続せず、電子地図装置やカーナビゲーション装置を実行する端末に電柱位置情報、及び電柱情報を提供してもよい。
【００７６】
また、例えば、本システムの電柱情報取得処理において、電柱位置情報、及び電柱情報を提供する媒体または装置に応じて、提供する電柱位置情報、及び電柱情報の内容を変更するような機能を設けてもよい。
【００７７】
また、例えば、本システムの電柱情報取得処理によって提供された特定の電柱位置情報、及び電柱情報を複数の媒体または装置に提供する場合は、一度取得した電柱位置情報、及び電柱情報を電柱情報取得端末２００の二次記憶装置内にバッファして、別の媒体または装置に対応したデータ形式に変換して提供してもよい。
【００７８】
さらに、例えば、本実施の形態において、電柱情報提供装置が提供して電柱情報取得端末が取得する情報は、電柱位置情報、及び電柱情報となっていたが、本発明ではこれに限定されない。すなわち、本実施の形態において、電柱位置情報のみ、或いは電柱情報のみを電柱情報提供装置が提供して電柱情報取得端末が取得してもよい。
【００７９】
【発明の効果】
以上、説明したように本発明の電柱情報提供プログラムによれば、端末からの要求に応じた電柱に係る情報を提供することができる。また、本発明によれば、電柱の管理に係る作業を円滑に行うという優れた効果を奏し得る。
【図面の簡単な説明】
【図１】本発明の電柱情報提供プログラムの実施形態である、電柱情報提供システムの一例を示す図である。
【図２】日次バッチ処理のフローチャートである。
【図３】Ｗｅｂサーバに格納される電柱情報データベースのデータテーブルの一例を示す図である。
【図４】本システムによる、電柱情報取得処理のフローチャートである。
【図５】電柱情報取得画面の一例である。
【図６】本システムによる電柱情報取得処理によって取得した電柱位置情報、及び電柱情報を、カーナビゲーション装置の表示画面上の電子地図に対応させた表示画面の一例である。
【図７】本システムによる電柱情報取得処理によって取得した電柱位置情報、及び電柱情報を、電子地図装置の表示画面上の電子地図に対応させた表示画面の一例である。
【符号の説明】
１０            データテーブル
１０ａ          電柱番号
１０ｂ          緯度
１０ｃ          経度
１０ｄ          製造業者名
１０ｅ          製造年
１０ｆ          共架事業者情報
２０          電柱情報取得画面
２０ａ          標識選択リストボックス
２０ｂ          電柱番号入力部
２０ｃ          データ形式選択部
２０ｄ          支社変更ボタン
２０ｅ          メモリ初期化ボタン
２０ｆ          ダウンロードボタン
３０            表示画面
３０ａ          電柱マーク
３０ｂ          電柱情報表示部
４０            表示画面
４０ａ          電柱マーク
４０ｂ          電柱情報表示部
１００          電柱情報提供装置
１０１          処理装置
１０２      二次記憶装置
１０３      入力装置
１０４      出力装置
１０５ａ        マッピングデータベース
１０５ｂ        架空設備データベース
１０５ｃ        共架設備データベース
２００          電柱情報取得端末
２０１          処理装置
２０２      二次記憶装置
２０３      入力装置
２０４      出力装置
３００          Ｗｅｂサーバ
４００          記憶媒体記録装置
５００          電子地図装置
６００          カーナビゲーション装置
【図１】
2005018250.tif 000003
【図２】
2005018250.tif 000004
【図３】
2005018250.tif 000005
【図４】
2005018250.tif 000006
【図５】
2005018250.tif 000007
【図６】
2005018250.tif 000008
【図７】
2005018250.tif 000009